(57)【要約】      （修正有）【課題】スクリーンの前後幅の中央部からずれた位置で昇降コードをスクリーンに挿通したプリーツスクリーンにおいて、昇降操作時にボトムレールの傾動を防止し、かつボトムレールをスクリーンで被覆して美観を向上させ得るプリーツスクリーンを提供する。【解決手段】スクリーン１２の前後幅の中央部からずれた位置で昇降コード１５をスクリーンに挿通し、昇降コード１５の下端にボトムレール１３を取着して、該ボトムレール１３の昇降操作によりスクリーン１２を昇降可能としたプリーツスクリーンにおいて、ボトムレール１３を断面縦長として昇降コード１５を取着し、ボトムレール１３内に錘２０を取着し、スクリーン１２の下端部でボトムレール１３の室内側の側面を被覆するとともに、ボトムレール１３の上面をスクリーン１２の最下段の折り目谷Ｖより上方に位置させた。【選択図】図１
2008266979.tif 000002
【特許請求の範囲】
【請求項１】
スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、
前記ボトムレールを断面縦長として前記昇降コードを取着し、前記ボトムレール内に錘を取着し、前記スクリーンの下端部で前記ボトムレールの室内側の側面を被覆するとともに、前記ボトムレールの上面を前記スクリーンの最下段の折り目谷より上方に位置させたことを特徴とするプリーツスクリーン。
【請求項２】
前記スクリーンは、上下方向に多数の折り目を設けてジグザグ状に畳み込み可能とした生地の１段おきの折り目に接合片を形成し、前記昇降コードを前記接合片に挿通し、前記ボトムレールに取着される生地で該ボトムレールを被覆することを特徴とする請求項１記載のプリーツスクリーン。
【請求項３】
前記スクリーンの下端部を生地押さえに取着し、最下段の接合片を前記昇降コードに挿通しないようにして、該最下段の接合片以下の生地で前記ボトムレールを被覆可能としたことを特徴とする請求項２記載のプリーツスクリーン。
【請求項４】
前記ボトムレールには、該ボトムレール上に積層して畳み込まれる生地を支持する支持辺を備えたことを特徴とする請求項３記載のプリーツスクリーン。
【請求項５】
前記支持辺は、前方に向かって斜め下方に延設したことを特徴とする請求項４記載のプリーツスクリーン。
【請求項６】
前記ボトムレールを被覆する生地を、三角形状に折り曲げた状態で保持したことを特徴とする請求項２記載のプリーツスクリーン。
【請求項７】
前記ボトムレールを被覆する生地の折り曲げ角度を、前記ボトムレールの上方で引き伸ばされている生地の折り曲げ角度と一致させたことを特徴とする請求項６記載のプリーツスクリーン。
【請求項８】
前記ボトムレールには、該ボトムレールを被覆する生地の折り曲げ角度を保持する案内片を備えたことを特徴とする請求項７記載のプリーツスクリーン。
【請求項９】
スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、
前記ボトムレールを断面縦長として前記昇降コードを取着し、前記ボトムレール内に錘を取着し、前記スクリーンは、上下方向に多数の折り目を設けてジグザグ状に畳み込み可能とした生地の１段おきの折り目に接合片を形成するとともに、前記昇降コードを前記接合片に挿通し、前記スクリーンの下端部で前記ボトムレールの室内側の側面を被覆するとともに、前記ボトムレールの下端部に前記スクリーンの最下段の折り目山を保持したことを特徴とするプリーツスクリーン。
【請求項１０】
前記最下段の折り目山を前記ボトムレールの下端部に設けた係止片で覆うように保持したことを特徴とする請求項９記載のプリーツスクリーン。
【請求項１１】
スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、
前記ボトムレールを断面縦長として前記昇降コードを取着し、前記ボトムレール内に錘を取着し、前記スクリーンは、上下方向に多数の折り目を設けてジグザグ状に畳み込み可能とした生地の１段おきの折り目に接合片を形成するとともに、前記昇降コードを前記接合片に挿通し、前記スクリーンの下端部で前記ボトムレールの室内側の側面を被覆するとともに、前記ボトムレールの下端部に前記スクリーンの最下段の折り目谷を保持したことを特徴とするプリーツスクリーン。
【請求項１２】
前記最下段の折り目谷に設けられた接合片に生地押さえを取着し、該生地押さえを前記ボトムレールに取着したことを特徴とする請求項１１記載のプリーツスクリーン。
【発明の詳細な説明】
【技術分野】
【０００１】
この発明は、プリーツスクリーンのボトムレールに関するものである。
【背景技術】
【０００２】
プリーツスクリーンは、上下方向にジクザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、図１４（ａ）に示すように、上下方向中間部に折り目１を設けた生地２の上下両端縁に接合片３をそれぞれ設け、その接合片３を他の生地の接合片３に溶着等の手段により接合して、スクリーン４を形成したものがある。
【０００４】
このようなスクリーン４を備えたプリーツスクリーンでは、接合片３に昇降コード５を挿通し、その昇降コード５の下端にボトムレールを吊下支持し、スクリーン４の下縁をボトムレールに取着している。そして、そのボトムレールを昇降することにより図１４（ａ）に示すようにスクリーン４を下方へ引き延ばし、あるいは同図（ｂ）に示すようにスクリーン４を上方へ畳み込み可能である。
【０００５】
従って、このスクリーン４では昇降コードを挿通する挿通孔はスクリーン背面の接合片３に設けられるので、その挿通孔からの光洩れが防止される。
上記スクリーン４は、下方へ引き延ばしたとき、図１５（ａ）に示すように、折り目１の近傍ではスクリーン４を上下方向に引き伸ばす力に反発する力Ｆ１が発生し、接合片３近傍においても、スクリーン４を上下方向に引き伸ばす力に反発する力Ｆ２が発生する。
【０００６】
また、スクリーン４を上方へ畳み込んだとき、図１５（ｂ）に示すように、接合片３を積層させて上下方向に押圧する力Ｆ４が作用すると、生地２の折り目１近傍部分では、畳み込みに反発する力Ｆ３が発生する。
【０００７】
そこで、このような反発力Ｆ１〜Ｆ３が発生するスクリーン４の下端に取着されるボトムレールは、次のような構成とすることが望ましい。
すなわち、図１６（ａ）に示すように、スクリーン４を下方へ引き延ばしたとき、ボトムレール６はその前後両端部が昇降コード５とスクリーン４の下縁とで支持された状態となる。従って、ボトムレール６は前後方向中央部に重心Ｗが位置していれば、前後方向に傾くことなく、水平方向に保持される。
【０００８】
一方、図１６（ｂ）に示すように、ボトムレール６を引き上げて、スクリーン４を上方へ畳み込むと、スクリーン４の折り目１近傍には、畳み込みに反発する力Ｆ３が作用するため、ボトムレール６の後端部に重心Ｗが位置していれば、力Ｆ３によるスクリーン４の折り目部分の拡がりを防止可能となる。
【０００９】
しかし、ボトムレール６を引き上げた状態と下降させた状態で、重心Ｗの位置を変更することは容易ではない。
通常、ボトムレール６の前後幅は、上方に畳み込んだスクリーン４の前後幅程度に形成され、重心Ｗはその前後方向中央部に位置している。このようなボトムレール６では、図１７（ａ）に示すように、ボトムレール６がその昇降範囲の中間位置まで下降した状態では、ボトムレール６の後端近傍が昇降コード５に吊下支持される状態となるため、ボトムレール６の前端側が下がる方向に傾いて吊下支持される。
【００１０】
また、ボトムレール６が下限まで下降されると、図１７（ｂ）に示すように、スクリーン４の引き延ばしに反発する力Ｆ１により、ボトムレール６の前端側が持ち上がる方向に傾いて吊下支持される。
【００１１】
また、ボトムレール６が上限まで引き上げられると、図１７（ｃ）に示すように、力Ｆ３によりスクリーン４の折り目部分が拡がろうとするため、ボトムレール６の前端側が下がる方向に傾いて吊下支持される。
【００１２】
従って、ボトムレール６の昇降操作によりボトムレール６が前後方向に傾き、その傾き方向もボトムレール６の高さによって変化するため、美観上好ましくない。
図１８は、ボトムレール６の前後方向後端部に重心Ｗを位置させた場合を示す。この場合には、同図（ａ）に示すように、ボトムレール６を下限まで下降させると、ボトムレール６の前端側が大きく持ち上げられて傾く。同図（ｂ）に示すように、ボトムレール６が中間位置まで引き上げられると、スクリーン４の前端側でボトムレール６を下方へ押し下げようとする力と、ボトムレール６の重心Ｗとが釣り合って、ボトムレール６はほぼ水平方向に保持される。
【００１３】
しかし、ボトムレール６を上限近傍まで引き上げると、図１８（ｃ）に示すように、力Ｆ３によりスクリーン４の折り目部分が拡がろうとするため、ボトムレール６の前端側が下がる方向に傾いて吊下支持される。
【００１４】
図１９は、重心Ｗをボトムレール６の前端側に位置させた場合を示す。この場合には、同図（ａ）に示すように、ボトムレール６を下限まで下降させると、ボトムレール６はほぼ水平方向に保持されるが、同図（ｂ）に示すように、ボトムレール６が中間位置まで引き上げられると、スクリーン４の前端側でボトムレール６を下方へ押し下げようとする力Ｆ３により、ボトムレール６の前端側が下がる。
【００１５】
また、ボトムレール６を上限近傍まで引き上げると、図１９（ｃ）に示すように、力Ｆ３がさらに増大し、ボトムレール６がさらに傾いて吊下支持される。
【特許文献１】実公昭５８−１３８１７号公報
【特許文献２】特許第２６０６９４４号公報
【特許文献３】米国特許第４９７４６５６号
【発明の開示】
【発明が解決しようとする課題】
【００１６】
上記のようなプリーツスクリーンでは、スクリーンを昇降するためにボトムレールを昇降すると、ボトムレールが前後方向に傾動して、美観上好ましくない。
特許文献１にはカーテン下端の支持板に重錘を取り付けて、支持板のバランスを確保する構成が開示されているが、カーテンの昇降時に支持板の傾動を防止するための構成は開示されていない。
【００１７】
特許文献２には、上記スクリーンと同様なスクリーンを使用したプリーツカーテンが開示されているが、ウェイトバーの傾動防止に関する構成は開示されていない。
特許文献３に開示されたプリーツスクリーンでは、スクリーンの下端部でボトムレールを覆って、ボトムレールの露出を防止可能とする構成が開示されている（Fig3A参照）。しかし、このような構成では、ボトムレールをスクリーンで覆っても、スクリーンの外観とは異なる形状のボトムレールがスクリーンの下端部に露出されるため、美観上好ましくない。
【００１８】
また、ボトムレールを覆うスクリーンに、そのスクリーンの折り目や接合片が露出して美観を損ねることもあり、組み立て時にこの折り目や接合片をあらかじめ解消して、ボトムレールを覆うようにすることは、工数を増大させて製造コストが上昇するという問題点がある。
【００１９】
この発明の目的は、スクリーンの前後幅の中央部からずれた位置で昇降コードをスクリーンに挿通したプリーツスクリーンにおいて、昇降操作時にボトムレールの傾動を防止し、かつボトムレールをスクリーンで被覆して美観を向上させ得るプリーツスクリーンを提供することにある。
【課題を解決するための手段】
【００２０】
請求項１では、スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、前記ボトムレールを断面縦長として前記昇降コードを取着し、前記ボトムレール内に錘を取着し、前記スクリーンの下端部で前記ボトムレールの室内側の側面を被覆するとともに、前記ボトムレールの上面を前記スクリーンの最下段の折り目谷より上方に位置させた。
【００２１】
請求項２では、前記スクリーンは、上下方向に多数の折り目を設けてジグザグ状に畳み込み可能とした生地の１段おきの折り目に接合片を形成し、前記昇降コードを前記接合片に挿通し、前記ボトムレールに取着される生地で該ボトムレールを被覆する。
【００２２】
請求項３では、前記スクリーンの下端部を生地押さえに取着し、最下段の接合片を前記昇降コードに挿通しないようにして、該最下段の接合片以下の生地で前記ボトムレールを被覆可能とした。
【００２３】
請求項４では、前記ボトムレールには、該ボトムレール上に積層して畳み込まれる生地を支持する支持辺を備えた。
請求項５では、前記支持辺は、前方に向かって斜め下方に延設した。
【００２４】
請求項６では、前記ボトムレールを被覆する生地を、三角形状に折り曲げた状態で保持した。
請求項７では、前記ボトムレールを被覆する生地の折り曲げ角度を、前記ボトムレールの上方で引き伸ばされている生地の折り曲げ角度と一致させた。
【００２５】
請求項８では、前記ボトムレールには、該ボトムレールを被覆する生地の折り曲げ角度を保持する案内片を備えた。
請求項９では、スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、前記ボトムレールを断面縦長として前記昇降コードを取着し、前記ボトムレール内に錘を取着し、前記スクリーンは、上下方向に多数の折り目を設けてジグザグ状に畳み込み可能とした生地の１段おきの折り目に接合片を形成するとともに、前記昇降コードを前記接合片に挿通し、前記スクリーンの下端部で前記ボトムレールの室内側の側面を被覆するとともに、前記ボトムレールの下端部に前記スクリーンの最下段の折り目山を保持した。
【００２６】
請求項１０では、前記最下段の折り目山を前記ボトムレールの下端部に設けた係止片で覆うように保持した。
請求項１１では、スクリーンの前後幅の中央部からずれた位置で昇降コードをスクリーンに挿通し、前記昇降コードの下端にボトムレールを取着して、該ボトムレールの昇降操作により前記スクリーンを昇降可能としたプリーツスクリーンにおいて、前記ボトムレールを断面縦長として前記昇降コードを取着し、前記ボトムレール内に錘を取着し、前記スクリーンは、上下方向に多数の折り目を設けてジグザグ状に畳み込み可能とした生地の１段おきの折り目に接合片を形成するとともに、前記昇降コードを前記接合片に挿通し、前記スクリーンの下端部で前記ボトムレールの室内側の側面を被覆するとともに、前記ボトムレールの下端部に前記スクリーンの最下段の折り目谷を保持した。
【００２７】
請求項１２では、前記最下段の折り目谷に設けられた接合片に生地押さえを取着し、該生地押さえを前記ボトムレールに取着した。
【発明の効果】
【００２８】
本発明によれば、スクリーンの前後幅の中央部からずれた位置で昇降コードをスクリーンに挿通したプリーツスクリーンにおいて、昇降操作時にボトムレールの傾動を防止し、かつボトムレールをスクリーンで被覆して美観を向上させ得るプリーツスクリーンを提供することができる。
【発明を実施するための最良の形態】
【００２９】
以下、この発明を具体化した一実施の形態を図面に従って説明する。図１２及び図１３に示すプリーツスクリーンは、ヘッドボックス１１からスクリーン１２が吊下支持され、そのスクリーン１２の下端にボトムレール１３が取着されている。
【００３０】
前記スクリーン１２は、上下方向に多数の折り目を設けてジグザグ状に畳み込み可能とした生地の１段おきの折り目に接合片（昇降コード保持部）１４が形成されている。前記接合片１４は、スクリーン１２の背面側に向かって凸となる折り目を所定の幅で接合して形成される。その接合方法は、生地の幅方向に非連続となる超音波溶着を施したり、縫着あるいは接着剤による接着でも可能である。また、前記接合片１４に代えて、生地とは別体のリング部材や孔を備えた接合テープを使用することもできる。
【００３１】
前記スクリーン１２の各接合片１４に昇降コード１５が挿通され、その昇降コード１５はスクリーン１２の左右幅方向において等間隔に複数本挿通されている。
前記昇降コード１５の上端部は、ヘッドボックス１１内に設けられる昇降コード巻取り装置（図示しない）に支持され、ヘッドボックス１１の一方の端部に垂下される操作チェーン１６を操作することにより、昇降コード巻取り装置で昇降コードを巻取り、あるいは巻戻し可能となっている。
【００３２】
前記昇降コード１５の下端は、前記ボトムレール１３に取着されている。そして、前記昇降コード巻取り装置で昇降コード１５を巻き取ると、ボトムレール１３が引き上げられて、スクリーン１２が上方へ畳み込まれ、昇降コード巻取り装置から昇降コード１５を巻戻すと、ボトムレール１３が下降してスクリーン１２が下方へ引き伸ばされるようになっている。
【００３３】
前記昇降コード１５の近傍において、前記ヘッドボックス１１からピッチ保持コード１７が垂下され、そのピッチ保持コード１７の下端は前記ボトムレール１３に取着されている。そして、ピッチ保持コード１７は、スクリーン１２が引き伸ばされたとき、スクリーン１２の一段おきの接合片１４を高さ方向に保持して、スクリーン１２の折り目間隔が一定となるように保持する。
【００３４】
次に、前記ボトムレール１３の具体的構成を図１に従って説明する。図１（ａ）に示すように、ボトムレール１３はアルミ等の軽量金属による押し出し形材で形成され、その上端部には上方に開口した溝部１８が形成されている。
【００３５】
前記溝部１８内には、前記昇降コード１５の下端部の結び目１５ａを保持した保持部材１９がボトムレール１３の側方から挿通されている。従って、昇降コード１５の下端は保持部材１９を介してボトムレール１３の上端部中央に保持され、ボトムレール１３は昇降コード１５の下端に吊下支持されている。
【００３６】
前記溝部１８の下方において、前記ボトムレール１３内には錘２０が取着されている。この錘２０は鉄等の重量金属で板状に形成されてボトムレール１３内に縦方向に収容され、昇降コード１５の延長線上からやや室外側にオフセットして取着されている。そして、ボトムレール１３の断面形状と錘２０の取付位置とにより、ボトムレール１３の重心Ｗは昇降コード１５の取付位置の下方に位置している。
【００３７】
前記スクリーン１２の最下段の接合片１４ａは昇降コード１５には挿通されず、最下部の生地２１ａの折り目山Ｍは合成樹脂で形成された板状の生地押さえ２２の先端部を覆うように折り返されて接合される。そして、生地押さえ２２の先端部をボトムレール１３の下端部から上方に延びる係止片２３の内側に保持した状態で、生地押さえ２２の基端部に設けられた嵌合溝２４がボトムレール１３の上部に形成された係止突条２５に嵌合されている。
【００３８】
このような構成により、図１（ａ）に示すように、ボトムレール１３を下限まで下降させると、昇降コード１５に挿通されない最下段の接合片１４ａとその上段の接合片１４との間の生地２１ｂはその上方の生地２１ｃと同様な角度で折り曲げられた状態となる。また、最下段の折り目谷Ｖはボトムレール１３の上端より下方に位置している。さらに、接合片１４ａより下方の生地２１ａは生地押さえ２２を覆う状態で同生地押さえ２２に保持されている。
【００３９】
また、図１（ｂ）に示すように、ボトムレール１３の上端に接合片１４が当接するまで同ボトムレール１３を引き上げると、生地２１ｂの上片が水平方向に保持された状態で生地２１ｂが鋭角に折り曲げられた状態となる。
【００４０】
また、図１（ｃ）に示すように、ボトムレール１３をさらに引き上げると、生地２１ｂの上方の生地がその生地２１ｂ上に順次積層された状態となる。
上記のようなプリーツスクリーンでは、次に示す作用効果を得ることができる。
（１）ボトムレール１３の重心Ｗを、昇降コード１５の取付位置の下方に位置させたので、ボトムレール１３を昇降してスクリーン１２を昇降操作するとき、ボトムレール１３の傾動を抑制することができる。
（２）スクリーン１２の前後幅の中央部からずれた位置で昇降コード１５をスクリーン１２に挿通したプリーツスクリーンにおいても、ボトムレール１３の重心Ｗを、昇降コード１５の取付位置の下方に位置させたので、スクリーン１２の昇降操作時のボトムレール１３の傾動を抑制することができる。
（３）図１（ａ）に示すように、ボトムレール１３を最下限まで下降させたとき、スクリーン１２の引き伸ばしに反発する力は、最下段の生地２１ａと接合片１４ａにより吸収されて、ボトムレール１３には作用し難い。従って、ボトムレール１３の傾動を抑制することができる。
（４）スクリーン１２の下部の生地２１ａ，２１ｂでボトムレール１３を室内側の視界からほぼ覆い隠すことができる。従って、ボトムレール１３を断面縦長としても、その露出を防止して美観を向上させることができる。
（５）ボトムレール１３の上端を、スクリーン１２の最下段の折り目谷Ｖより上方に位置させることができるので、錘２０の縦方向の長さを大きくして重量を確保するためにボトムレール１３の上下幅を大きくすることも容易である。
（６）スクリーン１２の最下段の折り目谷Ｖ及び折り目山Ｍを利用してスクリーン１２の下端部をボトムレール１３に保持することができる。従って、スクリーン１２の下端部をボトムレール１３に取着するための特別な加工を必要としないので、生産性を向上させて製造コストを低減することができる。
（７）ボトムレール１３を下限まで下降させたとき、ボトムレール１３の上部はスクリーン１２の上部と同様な折り目を維持した生地で覆われるので、ボトムレール１３の上下幅を大きくしても、美観を低下させることはない。
（８）最下段の折り目山Ｍを生地押さえ２２の先端で折り返した状態でボトムレール１３下端部の係止片２３に保持される。従って、スクリーン１２の下端をボトムレール１３に容易に取着することができる。
（ボトムレールの他の実施の形態）
図２は、ボトムレールの別例を示す。このボトムレール２６ａは、その上端から前方に向かって水平方向に延びる支持辺２７を備え、その支持辺２７上にスクリーン１２を積層するようにしたものである。
【００４１】
このような構成により、スクリーン１２を上方へ畳み込むとき、スクリーン１２をボトムレール２６ａ上に安定して積層させることができる。
図３は、ボトムレールの更なる別例を示す。このボトムレール２６ｂは、その上端から前方に向かって斜め下方に延びる支持辺２８を備え、その支持辺２８上にスクリーン１２を積層するようにしたものである。
【００４２】
このような構成により、スクリーン１２を上方へ畳み込むとき、スクリーン１２をボトムレール２６ｂ上に安定して積層させることができるとともに、畳み込みに反発する力Ｆ３の支持辺２８への作用を緩和して、ボトムレール２６ｂの傾動を抑制することができる。
【００４３】
図４は、ボトムレールの更なる別例を示す。このボトムレール２６ｃは、昇降コード１５に挿通しない最下段の接合片１４ａを水平方向に挿通可能とした凹部２９を備えたものである。
【００４４】
このような構成により、スクリーン１２を上方へ畳み込むとき、畳み込みに反発する力Ｆ３のボトムレール２６ｃへの作用を緩和して、ボトムレール２６ｂの傾動を抑制することができる。
【００４５】
図５は、ボトムレールの更なる別例を示す。このボトムレール２６ｄは、最下段の接合片１４ａにも昇降コード１５を挿通したものである。
このような構成により、接合片１４ａをボトムレール２６ｄの上方に位置させることができるので、ボトムレール２６ｄの上下方向の長さを短縮することができる。
【００４６】
図６は、ボトムレールの更なる別例を示す。このボトムレール２６ｅは、幅の狭い板状の生地押さえ３０に最下段の折り目谷部分の接合片１４ａを取着し、その生地押さえ３０を保持する係止溝３１をボトムレール２６ｅの下部に設けたものである。
【００４７】
このような構成により、ボトムレール２６ｅを生地２１ｂで覆うことができるとともに、その生地２１ｂを室内側に向かって突出するように折り曲げた状態として、ボトムレール２６ｅを中間位置まで引き上げたときにも、ボトムレール２６ｅの上方のスクリーン１２と意匠的な統一を図って美観を向上させることができる。
【００４８】
また、最下段の接合片１４ａを利用して、スクリーン１２の下端をボトムレール２６ｅに容易に取着することができる。
図７は、ボトムレールの更なる別例を示す。このボトムレール２６ｆは、図１に示す生地押さえ２２と同様な生地押さえ３２の先端部に接合片１４ａを取着したものである。
【００４９】
このような構成により、ボトムレール２６ｆを生地２１ｂで覆うことができるとともに、その生地２１ｂを室内側に向かって突出するように折り曲げた状態として、ボトムレール２６ｆを中間位置まで引き上げたときにも、ボトムレール２６ｆの上方で引き伸ばされているスクリーン１２と意匠的な統一を図って美観を向上させることができる。
【００５０】
図８は、ボトムレールの更なる別例を示す。このボトムレール２６ｇは、図１に示すボトムレール１３に対し、ボトムレール２６ｇの上端と生地押さえ３３の取付位置との距離を長くして、生地２１ｂをボトムレール２６ｇから二等辺三角形状に突出させるようにしたものである。
【００５１】
このような構成により、ボトムレール２６ｇを生地２１ｂで覆うことができるとともに、その生地２１ｂを室内側に向かって突出するように折り曲げた状態として、ボトムレール２６ｇを中間位置まで引き上げたときにも、ボトムレール２６ｇの上方で引き伸ばされているスクリーン１２と意匠的な統一を図って美観を向上させることができる。
【００５２】
図９は、ボトムレールの更なる別例を示す。このボトムレール２６ｈは、接合片１４ａを生地押さえ３４の下端部に取着し、その生地押さえ３４を上下二箇所でボトムレール２６ｈの係止突条３５ａ，３５ｂに嵌合固定したものである。
【００５３】
このような構成により、ボトムレール２６ｈを生地２１ｂで覆うことができる。また、生地２１ｂを室内側に向かって突出するように折り曲げた状態として、ボトムレール２６ｈを中間位置まで引き上げたときにも、生地２１ｂの折り曲げ角度とボトムレール２６ｈの上方で引き伸ばされている生地の折り曲げ角度とを一致させて、美観を向上させることができる。
【００５４】
図１０は、ボトムレールの更なる別例を示す。このボトムレール２６ｉは、幅の狭い板状の生地押さえ３６に最下段の接合片１４ａを取着し、その生地押さえ３６を保持する係止溝３７をボトムレール２６ｉの下部に設けて、生地２１ｂの折り曲げ角度とボトムレール２６ｉの上方で引き伸ばされている生地の折り曲げ角度とを一致させるようにしたものである。
【００５５】
このような構成により、図９に示すボトムレール２６ｈと同様な作用効果を得ることができる。
図１１は、ボトムレールの更なる別例を示す。このボトムレール２６ｊは、図１０に示すボトムレール２６ｉに生地２１ｂの折り曲げ角度を設定する案内片３８を設けたものである。
【００５６】
このような構成により、図１０に示すボトムレール２６ｉと同様な作用効果を得ることができるとともに、生地２１ｂの折り曲げ角度を安定化させることができる。
上記実施の形態は、以下の態様で実施してもよい。
・錘２０は、板状以外の形状であってもよい。
【図面の簡単な説明】
【００５７】
【図１】（ａ）〜（ｃ）は一実施の形態のボトムレールを示す側面図である。
【図２】ボトムレールの別例を示す側面図である。
【図３】ボトムレールの別例を示す側面図である。
【図４】ボトムレールの別例を示す側面図である。
【図５】ボトムレールの別例を示す側面図である。
【図６】ボトムレールの別例を示す側面図である。
【図７】ボトムレールの別例を示す側面図である。
【図８】ボトムレールの別例を示す側面図である。
【図９】ボトムレールの別例を示す側面図である。
【図１０】ボトムレールの別例を示す側面図である。
【図１１】ボトムレールの別例を示す側面図である。
【図１２】プリーツスクリーンを示す正面図である。
【図１３】プリーツスクリーンを示す側面図である。
【図１４】（ａ）（ｂ）はプリーツスクリーンの引き出し及び畳み込み動作を示す側面図である。
【図１５】（ａ）（ｂ）はプリーツスクリーンの引き出し及び畳み込み動作時にスクリーンに作用する力を示す側面図である。
【図１６】（ａ）（ｂ）はボトムレールの従来例を示す側面図である。
【図１７】（ａ）〜（ｃ）はボトムレールの従来例を示す側面図である。
【図１８】（ａ）〜（ｃ）はボトムレールの従来例を示す側面図である。
【図１９】（ａ）〜（ｃ）はボトムレールの従来例を示す側面図である。
【符号の説明】
【００５８】
１２…スクリーン、１３，２６ａ〜２６ｊ…ボトムレール、１４，１４ａ…接合片、１５…昇降コード、２０…錘、２１ａ〜２１ｃ…生地、Ｗ…重心、Ｖ…折り目谷。
【図１】
2008266979.tif 000003
【図２】
2008266979.tif 000004
【図３】
2008266979.tif 000005
【図４】
2008266979.tif 000006
【図５】
2008266979.tif 000007
【図６】
2008266979.tif 000008
【図７】
2008266979.tif 000009
【図８】
2008266979.tif 000010
【図９】
2008266979.tif 000011
【図１０】
2008266979.tif 000012
【図１１】
2008266979.tif 000013
【図１２】
2008266979.tif 000014
【図１３】
2008266979.tif 000015
【図１４】
2008266979.tif 000016
【図１５】
2008266979.tif 000017
【図１６】
2008266979.tif 000018
【図１７】
2008266979.tif 000019
【図１８】
2008266979.tif 000020
【図１９】
2008266979.tif 000021